(57)【要約】【課題】故障ディスプレイが存在した場合においても、テロップを視聴者に確実に読み取りやすく表示できるマルチディスプレイ装置を提供する。【解決手段】複数のディスプレイが、各々がネットワーク網１００を介して通信可能な通信部と、任意のコンテンツ並びにテロップ情報を記憶する画像記憶部と、画像記憶部に記憶されたコンテンツ上にテロップ情報を重畳する画像処理部と、画像処理部に生成された画像を表示する表示部と、これら通信部と画像処理部と表示部を各々制御する制御部を備える。制御部は、自ディスプレイの故障診断結果を他のディスプレイに対して通信部を介して通知し、これら各ディスプレイの故障診断結果をもとに画像処理部におけるテロップ情報の重畳方法を決定する。【選択図】図３
2018059996.tif 000002
【特許請求の範囲】
【請求項１】
ネットワーク接続された複数のディスプレイを組み合わせて一つの映像を表示するマルチディスプレイ装置であって、
前記複数のディスプレイは、各々が前記ネットワークを介して通信可能な通信部と、任意のコンテンツ並びにテロップ情報を記憶する画像記憶部と、前記画像記憶部に記憶されたコンテンツ上にテロップ情報を重畳する画像処理部と、前記画像処理部に生成された画像を表示する表示部と、前記通信部と前記画像処理部と前記表示部を各々制御する制御部を備え、
前記制御部は、自ディスプレイの故障診断結果を他のディスプレイに対して前記通信部を介して通知し、これら各ディスプレイの故障診断結果をもとに前記画像処理部におけるテロップ情報の重畳方法を決定する、マルチディスプレイ装置。
【請求項２】
前記複数のディスプレイのうち、故障ディスプレイが存在している場合、前記制御部は、前記故障ディスプレイ上にテロップ情報が表示されないように前記画像処理部を制御する、請求項１記載のマルチディスプレイ装置。
【請求項３】
前記故障ディスプレイが存在している場合、前記制御部は、前記画像処理部におけるテロップ情報の文字の大きさ或いは文字の表示速度を変更するように前記画像処理部を制御する、請求項１、または請求項２記載のマルチディスプレイ装置。
【発明の詳細な説明】
【技術分野】
【０００１】
本開示は、マルチディスプレイ装置に関する。
【背景技術】
【０００２】
特許文献１は、表示可能なディスプレイを有効に用いるとともに視認性の低下を防ぐことが可能なマルチディスプレイシステムを開示する。このマルチディスプレイシステムは、複数のディスプレイを格子状に配置したディスプレイ群と、外部から入力された複数の映像信号をディスプレイ群の各ディスプレイに出力するマルチディスプレイ表示計算機と、ディスプレイ群の各ディスプレイの状態を監視して故障を検出する故障検知手段とを備える。マルチディスプレイ表示計算機は、故障検知手段による故障の検知に基づいて、故障したディスプレイに対して出力する映像出力信号を、全て表示状態に維持される故障していない他のディスプレイに拡大縮小しあるいはしないで合成して出力することを特徴とする。これにより、表示可能なディスプレイを有効に用いるとともに視認性の低下を防ぐことができる。
【先行技術文献】
【特許文献】
【０００３】
【特許文献１】特開２０１３−００３４２０号公報
【発明の概要】
【発明が解決しようとする課題】
【０００４】
特許文献１によると、故障ディスプレイが検知された場合、その故障ディスプレイに表示すべき映像を他のディスプレイ上に表示する。しかしながら、複数のディスプレイにまたがってテロップを表示させる場合、故障ディスプレイに表示すべきテロップ表示領域のみ他のディスプレイに移動させると、かえってテロップが読みづらくなるといった現象が生じる。
【０００５】
本開示は、故障ディスプレイの設置位置の情報を元に、最適なテロップ表示方法を決定することにより、故障ディスプレイが存在した場合においても、テロップを視聴者に確実に読み取りやすく表示できるマルチディスプレイ装置を提供する。
【課題を解決するための手段】
【０００６】
本開示におけるマルチディスプレイ装置は、ネットワーク接続された複数のディスプレイを組み合わせて一つの映像を表示するマルチディスプレイ装置であって、複数のディスプレイは、各々がネットワークを介して通信可能な通信部と、任意のコンテンツ並びにテロップ情報を記憶する画像記憶部と、画像記憶部に記憶されたコンテンツ上にテロップ情報を重畳する画像処理部と、画像処理部に生成された画像を表示する表示部と、通信部と画像処理部と表示部を各々制御する制御部を備え、制御部は、自ディスプレイの故障診断結果を他のディスプレイに対して通信部を介して通知し、これら各ディスプレイの故障診断結果をもとに画像処理部におけるテロップ情報の重畳方法を決定する。
【発明の効果】
【０００７】
本開示におけるマルチディスプレイ装置は、故障ディスプレイの設置位置の情報をもとに、最適なテロップ表示方法を決定することにより、故障ディスプレイが存在した場合においても、テロップを視聴者に確実に読み取りやすく表示することに有効である。
【図面の簡単な説明】
【０００８】
【図１】実施の形態におけるマルチディスプレイ装置の構成図
【図２】実施の形態におけるディスプレイの構成を示すブロック図
【図３】実施の形態におけるディスプレイの動作を説明するためのフローチャート
【図４】実施の形態におけるマルチディスプレイ装置の動作を説明するための図
【図５】実施の形態におけるマルチディスプレイ装置の動作を説明するための図
【図６】実施の形態におけるマルチディスプレイ装置の動作を説明するための図
【図７】実施の形態におけるマルチディスプレイ装置の動作を説明するための図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために、提供されるのであって、これらにより特許請求の範囲に記載の主題を限定することは意図されていない。
【００１１】
（実施の形態）
以下、図１〜図７を用いて、実施の形態を説明する。
【００１２】
［１．構成］
図１は、実施の形態にかかるマルチディスプレイ装置の構成図である。
【００１３】
図１において、マルチディスプレイ装置は、各々が任意のネットワーク網１００で互いに通信可能なディスプレイ２１０、２２０、２３０、２４０、２５０及び２６０から構成され、ディスプレイ全体で一つの映像を表示する。
【００１４】
ここで、説明を簡便化するために、ディスプレイ２１０〜２６０の６台のディスプレイで一つの映像を構成する例を示しているが、このディスプレイの台数や組み方には様々なバリエーションがあり、本実施の形態に示した構成に限らない。また、図１において、各ディスプレイ２１０〜２６０を直接ネットワークで接続した例を示しているが、スイッチングハブやネットワークルーターといったネットワーク機器を間に挿入した構成を用いることもできる。
【００１５】
図２は、各ディスプレイの構成を示すブロック図である。各ディスプレイとも同じ構成であり、図２ではディスプレイ２４０を代表して図示している。ディスプレイ２４０は、ネットワークを介して通信を行うための通信部２４４と、任意のコンテンツ並びにテロップ情報を記憶する画像記憶部２４１と、画像記憶部２４１に記憶されたコンテンツ上にテロップ情報を重畳する画像処理部２４２と、画像処理部２４２で生成された画像を表示する表示部２４３と、通信部２４４と画像処理部２４２と表示部２４３を各々制御する制御部２４５から構成される。
【００１６】
尚、テロップ情報は天気予報やニュース速報のように、外部テロップサーバからネットワーク網１００を介し、リアルタイムに通信部２４４との通信により、画像記憶部２４１に記憶されても良い。
【００１７】
［２．動作］
以上のように構成されたマルチディスプレイ装置について、その動作を以下説明する。
【００１８】
図３は、実施の形態における各ディスプレイの動作を説明するためのフローチャートである。尚、本実施の形態の動作説明は、各ディスプレイとも同じ構成であることより、ディスプレイ２４０を代表例として述べる。
【００１９】
まず、制御部２４５は、ディスプレイ２４０の故障診断を行う（ステップＳ１）。故障診断は、各回路の電源電圧やファンの回転数やディスプレイ庫内温度といった情報を制御部２４５が検知することで実施できる。
【００２０】
次に、制御部２４５は、ステップＳ１における故障診断結果を、通信部２４４を介してマルチディスプレイ装置を構成する他のディスプレイ２１０、２２０、２３０、２５０、２６０に通知する（ステップＳ２）。
【００２１】
ステップＳ２により送信された他のディスプレイ２１０、２２０、２３０、２５０、２６０の故障診断結果を、通信部２４４を介して制御部２４５が受信する（ステップＳ３）。
【００２２】
ステップＳ３により受信された故障診断結果を制御部２４５にて解析を行い、マルチディスプレイ装置を構成するディスプレイにおいて、故障しているディスプレイが存在しているか否かを判断する（ステップＳ４）。ここで、ステップＳ４において、故障診断結果が一定期間を過ぎても通知されてこないディスプレイが存在する場合、そのディスプレイは故障していると制御部２４５は判断してもよい。
【００２３】
ステップＳ４において、マルチディスプレイ装置を構成する全てのディスプレイが正常動作していると判断された場合、制御部２４５は、所定のテロップ表示設定を行う（ステップＳ６）。図１に示すように、テロップ表示をディスプレイ２４０、２５０、２６０にまたがらせて表示する場合、自ディスプレイ２４０上にテロップ表示を行うため、制御部２４５は、画像記憶部２４１に記憶された任意のコンテンツからなる主画像とテロップ情報を所定の位置に重畳するように画像処理部２４２を制御する。画像処理部２４２で重畳された画像は表示部２４３に送信され、表示部２４３上に表示される。
【００２４】
一方、ステップＳ４において、故障したディスプレイが存在すると判断された場合、各ディスプレイは、その故障したディスプレイの位置に応じて、テロップ情報の重畳方法を変更し（ステップＳ５）、その変更された方法でテロップ表示設定を行う（ステップＳ６）。ここで、各ディスプレイはネットワーク網１００を介して互いに通信を行うため、各ディスプレイに固有のＩＰアドレスが付与されている。このＩＰアドレスとマルチディスプレイ装置を構成する物理的な位置を関連づけることで、制御部は、ＩＰアドレスと故障診断結果より、どの位置のディスプレイが故障しているか否かを判断できる。
【００２５】
図４は、テロップをディスプレイ２４０、２５０、２６０にまたがらせて表示するときに、ディスプレイ２４０のみが故障している例を示す。マルチディスプレイ装置を構成する各ディスプレイは、ステップＳ３の故障診断結果より、マルチディスプレイ装置を構成する左下に配置されたテロップ表示を行うディスプレイ２４０のみ故障している事を把握できる。そこで、各ディスプレイの制御部は、ステップＳ５に示したように、ディスプレイ２４０にテロップが表示されないようにテロップ情報の重畳方法を変更する。
【００２６】
図４に示したように、ディスプレイ２４０が故障したときにおけるテロップの表示方法の一例を図５〜図７に示す。
【００２７】
図５は、テロップの表示位置をディスプレイ２１０、２２０、２３０にまたがらせて変更した時の例である。ステップＳ３において、ディスプレイ２４０が故障しているが、ディスプレイ２１０〜２３０が正常であると判断できる。これより、本来のテロップ位置であるディスプレイ２４０〜２６０と対極の位置にあるディスプレイ２１０〜２３０における画像処理部にて主画像とテロップ情報を重畳させることにより、テロップを欠落させることなく表示できる。また、テロップを対極の位置にあるディスプレイ２１０〜２３０に表示させることにより、本来テロップを表示させる予定のテロップ表示領域と同一の領域を確保できるため、テロップの文字の大きさや移動速度を初期設定値の状態で表示しても、違和感無く、視聴者にテロップ情報を表示できる。
【００２８】
図６は、テロップの表示位置を変更せずに、テロップ表示領域のみを縮小した例を示す。図６において、ディスプレイ２４０が故障しているため、テロップ表示領域は、ディスプレイ２５０とディスプレイ２６０の２台のディスプレイとなる。このようなテロップ表示設定を行う事により、テロップの表示位置を他のディスプレイ上に移動できない場合においても、確実にテロップ情報を視聴者に表示する事ができる。但し、テロップ表示領域が、ディスプレイ２４０の領域だけ縮小されるため、本来設定されたテロップの文字の大きさや移動速度で表示すると、テロップ表示時間が短くなり、視聴者がテロップを読みづらく感じる場合がある。そこで、テロップの文字の大きさを小さくする或いは移動速度を遅くすることにより、視聴者がテロップを読みやすくできる。尚、図６のケースにおいて、ディスプレイ２５０が故障した場合は、テロップをディスプレイ２４０とディスプレイ２６０上に表示し、テロップが途切れないように表示する方法や、テロップをディスプレイ２６０のみに表示するといった方法が考えられる。
【００２９】
図７は、テロップを故障していない全てのディスプレイに表示させる例を示す。この場合、どの位置のディスプレイが故障していても、確実に視聴者にテロップを表示する事ができる。但し、テロップ表示領域が狭められるため、視聴者がテロップを読みづらく感じる場合がある。そこで、テロップの文字の大きさを小さくする或いは移動速度を遅くすることにより、視聴者がテロップを見やすくすることができる。
【００３０】
図５〜図７に故障ディスプレイが存在したときのテロップ表示方法の一例を示したが、どの表示方法を行うかは事前に制御部にて判断テーブルを持たせて決定しても良いし、マルチディスプレイ装置を構成するディスプレイの１台がマスターとなり、どのようにテロップの表示方法を行うかを他のディスプレイに通知する手段を設けても良い。これにより、緊急放送など重要なテロップ情報も確実に視聴者に提示することが可能となる。
【００３１】
［３．効果等］
以上のように、本実施の形態においては、複数のディスプレイが、各々がネットワーク網を介して通信可能な通信部と、任意のコンテンツ並びにテロップ情報を記憶する画像記憶部と、画像記憶部に記憶されたコンテンツ上にテロップ情報を重畳する画像処理部と、画像処理部に生成された画像を表示する表示部と、これら通信部と画像処理部と表示部を各々制御する制御部を備える。制御部は、自ディスプレイの故障診断結果を他のディスプレイに対して通信部を介して通知し、これら各ディスプレイの故障診断結果をもとに画像処理部におけるテロップ情報の重畳方法を決定する。
【００３２】
これにより、故障ディスプレイが存在した場合においても、テロップを確実に視聴者に読み取りやすく表示できる。
【００３３】
なお、上述の実施の形態は、本開示における技術を例示するためのものであるから、特許請求の範囲またはその均等の範囲において種々の変更、置き換え、付加、省略などを行うことができる。
【産業上の利用可能性】
【００３４】
本開示は、複数台のディスプレイがネットワーク接続されて一つの画面を表示するマルチディスプレイ装置に適用可能である。具体的には、複数台の液晶ディスプレイから構成されたビデオウォールシステム、サイネージシステムなどに、本開示は適用可能である。
【符号の説明】
【００３５】
１００  ネットワーク網
２１０、２２０、２３０、２４０、２５０、２６０  ディスプレイ
２４１  画像記憶部
２４２  画像処理部
２４３  表示部
２４４  通信部
２４５  制御部
【図１】
2018059996.tif 000003
【図２】
2018059996.tif 000004
【図３】
2018059996.tif 000005
【図４】
2018059996.tif 000006
【図５】
2018059996.tif 000007
【図６】
2018059996.tif 000008
【図７】
2018059996.tif 000009